(57)【要約】【課題】本発明は、床鳴りやキシミ音の発生が少なく、防音吸音性、遮音性及び寸法安定性に優れた床鳴り消音階段を提供すること。【解決手段】踏み板１１と、これと略直交して取付けられる蹴込み板１２と、これら踏み板１１と蹴込み板とを取付ける側板１３と、これらの踏み板１１と蹴込み板１２と側板１３とを支承する力桁１４とからなる階段であって、前記踏み板１１は、裏面側１１１において、防音材、吸音材、制振材のいずれかを有してなり、前記踏み板１１と蹴込み板１２と側板とは寸法安定木材からなり、前記踏み板１１と蹴込み板１２とは、凹凸嵌合接合を有していることを特徴とする床鳴り消音階段１である。【選択図】  図１
2004244988.tif 000002
【特許請求の範囲】
【請求項１】
踏み板とこれと略直交して取付けられる蹴込み板と、これら踏み板と蹴込み板とを取付ける側板と、これらの踏み板と蹴込み板と側板とを支承する力桁とからなる階段であって、
前記踏み板は、裏面側において、防音材、吸音材、制振材のいずれかを有してなり、
前記踏み板と蹴込み板と側板とは、寸法安定木材からなり、
前記踏み板と蹴込み板とは、凹凸嵌合接合を有していることを特徴とする床鳴り消音階段。
【請求項２】
踏み板の裏面側に装着される防音材は、防音ゴム材、フェルト材、ジュウタンシート材、繊維マットのいずれかであることを特徴とする請求項１に記載の床鳴り消音階段。
【請求項３】
踏み板の裏面側に装着される吸音材は、フェルト材、ジュウタンシート材、穴明き薄板のいずれかであることを特徴とする請求項１、請求項２に記載の床鳴り消音階段。
【請求項４】
踏み板の裏面側に装着される制振材は、防音ゴム材、フェルト材、ジュウタンシート材、繊維マット、制振鋼材のいずれかであることを特徴とする請求項１、請求項２、請求項３に記載の床鳴り消音階段。
【請求項５】
寸法安定木材は、木材繊維が多方向に配列された異方向性繊維の集成接合木材、挽材を含むランバー合板、ホルマール化木材のいずれかであることを特徴とする請求項１、請求項２、請求項３、請求項４、請求項５に記載の床鳴り消音階段。
【請求項６】
集成接合木材又は挽材を含むランバー合板は、建築廃材から選別された広葉樹堅牢材を含むことを特徴とする請求項１、請求項２、請求項３、請求項４、請求項５に記載の床鳴り消音階段。
【請求項７】
凹凸嵌合接合は、凹凸サネ加工嵌合、蟻掛け凹凸嵌合、鎌掛け凹凸嵌合のいずれかであることを特徴とする請求項１、請求項２、請求項３、請求項４、請求項５、請求項６に記載の床鳴り消音階段。
【請求項８】
蹴込み板は、裏面側において、防音材、吸音材、制振材のいずれかを有することを特徴とする請求項１、請求項２、請求項３、請求項４、請求項５、請求項６、請求項７に記載の床鳴り消音階段。
【請求項９】
蹴込み板の裏面側に装着される防音材は、防音ゴム材、フェルト材、ジュウタンシート材、繊維マットのいずれかであることを特徴とする請求項１、請求項５，請求項６、請求項７、請求項８に記載の床鳴り消音階段。
【請求項１０】
蹴込み板の裏面側に装着される吸音材は、フェルト材、ジュウタンシート材、穴明き薄板のいずれかであることを特徴とする請求項１、請求項５、請求項６、請求項７、請求項８、請求項９に記載の床鳴り消音階段。
【請求項１１】
蹴込み板の裏面側に装着された制振材は、防音ゴム材、フェルト材、ジュウタンシート材、繊維マット、制振鋼材のいずれかであることを特徴とする請求項１、請求項５、請求項６、請求項７、請求項８、請求項９、請求項１０に記載の床鳴り消音階段。
【請求項１２】
踏み板の表面側には、滑り止めシート材が装着されていることを特徴とする請求項１、請求項２、請求項３、請求項４、請求項５、請求項６、請求項７、請求項８、請求項９、請求項１０、請求項１１に記載の床鳴り消音階段。
【請求項１３】
蹴込み板は、上端頭部において滑り止め凹凸粗面を形成した段鼻部を有することを特徴とする請求項１、請求項２、請求項３、請求項４、請求項５、請求項６、請求項７、請求項８、請求項９、請求項１０、請求項１１、請求項１２に記載の床鳴り消音階段。
【請求項１４】
蹴込み板は、下端踏み板近傍部において切り欠き凹部を有することを特徴とする請求項１、請求項２、請求項３、請求項４、請求項５、請求項６、請求項７、請求項８、請求項９、請求項１０、請求項１１、請求項１２、請求項１３に記載の床鳴り消音階段。
【請求項１５】
踏み板と蹴込み板との前端部に形成された前方隅部において装飾遮音用入隅材を有することを特徴とする請求項１、請求項２、請求項３、請求項４、請求項５、請求項６、請求項７、請求項８、請求項９、請求項１０、請求項１１、請求項１２、請求項１３、請求項１４に記載の床鳴り消音階段。
【請求項１６】
装飾遮音用入隅材は、湾曲凹部、断面略三角形状部材、断面略三角形欠り切り部材のいずれかであることを特徴とする請求項１、請求項２、請求項３、請求項４、請求項５、請求項６、請求項７、請求項８、請求項９、請求項１１、請求項１２、請求項１３、請求項１４、請求項１５に記載の床鳴り消音階段。
【発明の詳細な説明】
【０００１】
【発明の属する技術分野】
本発明は、床鳴りやキシミ音の発生が少なく、防音吸音性、遮音性及び寸法安定性に優れた床鳴り消音階段に関するものである。
【０００２】
【従来の技術】
従来の階段９は、図１７及び図１８に示すごとく、踏み板９１と、これを略直交として取付けられる蹴込み板９２と、これら踏み板９１と蹴込み板９２とを取付ける側板９３と、これらの踏み板９１と蹴込み板９２と側板９３とを支承する力桁９４とから構成されているのが一般的である。
そして、特許文献１によれば、図１８に示すごとく、「上記踏み板９１と蹴込み板９２との前方凹凸嵌合接合及び受け台９６の近傍に制振材からなる入隅材９５が装着されている。」
【０００３】
一方特許文献２によれば、図１９に示すごとく、「踏み板９１の裏面側に設けた蹴込み板９２との間に制振材９７が装着されている。」これは階段の昇降の際に、踏み板９１と蹴込み板９２との間に発生する騒音を解消するものである。
また、同特許文献２によれば、請求項４において上記制振材９７にクッション材が複合一体化された発明も提案されている。
【０００４】
そして、本出願人は、先に特許文献３により「安全踏板階段」を提案している。これは、階段の昇降時において踏み板９１より足を滑らしたり、踏み外すことがない「安全踏板階段」を提案するものである。
また、本出願人は、特許文献４により「昇降時静音階段」を提案している。これは、床鳴りやキシミ音の発生が少なく、吸音性、遮音性、に優れた「昇降時静音階段」を提供するものである。
【０００５】
また、本出願人は、先に特許文献５により「寸法精度安定階段」を提案している。これは、寸法変化が少なく寸法安定性に優れ、かつ踏み板９１、蹴込み板９２、側板９３の反りやねじれの発生が少ない「寸法精度安定階段」を提案するものである。
更に、本出願人は、先に特許文献６により「木材繊維が多方向に配列された集成接合木材を使用した踊り場部材に関する特許出願」を提案している。これは、「従来の集成接合木材とは異なり、異方向性繊維からなる集成接合木材や挽材を含むランバー合板を使用することを特徴とするものである。」
【０００６】
一方、特許文献７には、「木材繊維と平行に切断して小板片、小角片の素材を得て、これら素材を木材繊維と平行するよう多数接合する建築用の集成接合木材」が提案されている。
【０００７】
【特許文献１】
特開平１０−２９２５８７号公報
「階段の制振構造」
【特許文献２】
特開平９−１１９２０５号公報
「木製階段」
【特許文献３】
特願２００２−３２７９７２号
【特許文献４】
特願２００２−３３１５４１号
【特許文献５】
特願２００２−３４３５８３号
【特許文献６】
特願２００２−２５８０３３号
【特許文献７】
特開平９−１２３１２７号公報
【発明が解決しようとする課題】
しかしながら、特許文献１の発明によれば、階段９において発生した音は、踏み板９１、蹴込み板９２、側板９３等の壁を通り抜けて、これらの壁に「はね返された音」が、前記制振材としての入隅材９５により十分に吸収されないことが考えられる。また、踏み板９１と蹴込み板９２との凹凸嵌合接合部分において、踏み板９１や蹴込み板９２の寸法変化率が大きいことにより、隙間や歪みによる接合不良部分が生じて、構造的な歪みやたわみによる凹凸嵌合接合のなじみが悪いことに起因するものと考えられる。
【０００８】
そのため、上記隙間等を通じて階段で発生した音が踏み板９１と蹴込み板９２と側板９３によりかこまれた「箱状部分内」９０（図１７参照）において多量に滞在して、前記制振材としての入隅材９５のみによっては完全に吸収されず、図６に示すごとく、従来の階段９は「残響室法吸音率（％）」が本発明の実施例１〜６に比較して高くなるものと考えられる。
【０００９】
前記「残響室法吸音率（％）」は、図２０に示すごとく、例えば踏み板９１と蹴込み板９２と側板９３とを組み立てた「測定用階段模型」９９０の上方に設置したスタンド３よりゴム球４を落下させて、「箱状部分内」９０において、吸音計により測定（５回の平均値）したものである。なお、吸音計に代えて騒音計を用いて測定することも出来るが、本発明において、最も知りたいのは、階段の「箱状部分内」９０における「床鳴り音やキシミ音」の防音吸音性である。
【００１０】
他方、特許文献２の発明によれば、階段９において発生した音は、図６に示すごとく、特許文献１に記載の発明に比較して、前記「残響室法吸音率（％）」はやや低いものの、本発明の実施例のいずれよりも高いものであった。
そのため、特許文献２における階段９にも、凹凸嵌合接合において隙間が生じたり、接合不良を生じることにより、前記「残響室法吸音率（％）」が比較的高い値を示したものと考えられる。
【００１１】
その主な原因としては、次のように推察される。特許文献７によれば、木材繊維は一定方向に配列されるのに対して、本発明の実施例において使用する異方向性繊維の集成接合木材は木材繊維が多方向に配列されているからであろうと考えられる。
それは、従来の集成接合木材は木材繊維が一定方向に偏在しているため、同木材の寸法変化率は木材繊維に支配されて伸縮を生じるものと考えられるからである。
【００１２】
また、本発明の実施例によれば、後述するごとく、制振材の他に各種の防音材や吸音材を使用したり、踏み板の表面側においても凹凸粗面材、繊維マット、凹凸マットなどの滑り止めシート材を装着している。
そして、最も注目すべきことは、踏み板と蹴込み板と側板とは寸法安定木材によりなるため、とくに踏み板と蹴込み板との凹凸嵌合接合において隙間や歪みによる接合不良部分の発生が少なく、しかも鎌掛け凹凸嵌合、凹凸サネ加工嵌合、蟻掛け凹凸嵌合による接合精度が高く、更には装飾遮音用入隅材を用いることにより、踏み板と蹴込み板と側板によって形成される「箱状部分内」に、階段で発生した音が残存したり、反響することなく、前記防音材、吸音材、制振材、滑り止めシート材によって床鳴り音やキシミ音が少なくなることにより、前記「残響室法吸音率（％）」が従来の階段９に比較して高くなるものと考えられる。
【００１３】
【課題を解決するための手段】
上記従来の階段９の課題を解決するため、本発明が採った手段は、防音ゴム材やフェルト材、更には穴明き薄板や制振鋼材などの防音材、吸音材、制振材が有する特性を有効利用すると共に、踏み板、蹴込み板、側板に主として広葉樹堅牢材からなる異方向性繊維の集成接合木材を用いて、更に鎌掛け凹凸嵌合、凹凸サネ加工嵌合、蟻掛け凹凸嵌合などの凹凸嵌合接合により接合力や強度、硬度を向上させた凹凸嵌合接合を形成して、防音吸音性、遮音性及び寸法安定性に優れた床鳴り消音階段を提供するものである。これにより、床鳴りやキシミ音の発生が少なく、深夜や集合住宅における階段の音響環境の改善を出来る。なお、遮音性及び寸法安定性合成樹脂発泡塗装粗面広葉樹堅牢材図面の符号を付して具体的に説明する。
【００１４】
まず、請求項１に記載の発明が採った手段は、踏み板１１とこれと略直交して取付けられる蹴込み板１２と、これら踏み板１１と蹴込み板１２とを取付ける側板１３と、これら踏み板１１と蹴込み板１２と側板１３を支承する受け板としての力桁１４とからなる階段であって、
前記踏み板１１は裏面側において、防音材、吸音材、制振材のいずれかを有してなり、前記踏み板１１と蹴込み板１２と側板１３とは、寸法安定木材からなり、
前記踏み板１１とは、凹凸嵌合接合を有していることを特徴とする床鳴り消音階段１を提供するものである。
これにより、床鳴りやキシミ音の発生が少なく、防音吸音性、遮音性及び寸法安定性に優れた床鳴り消音階段１を得ることが出来る。
【００１５】
請求項２に記載の発明が採った手段は、踏み板１１の裏面側１１１に装着される防音材は、防音ゴム材、フェルト材、ジュウタンシート材、繊維マットのいずれかであることを特徴とする床鳴り消音階段１を提供するものである。
これにより、比較的入手が容易で安価な材料を有効利用して、階段の防音吸音性の向上を図り、床鳴りやキシミ音の発生が少なく、遮音性及び寸法安定性に優れた床鳴り消音階段１を得ることが出来る。
【００１６】
請求項３に記載の発明が採った手段は、踏み板１１の裏面側１１１に装着される吸音材はフェルト材、ジュウタンシート材、穴明き薄板のいずれかであることを特徴とする床鳴り消音階段１を提供するものである。
これにより、前記防音材と同様に、比較的入手が容易で安価な材料を用いて、階段において発生する床鳴り音やキシミ音などの高周波音を特に吸収して、床鳴りやキシミ音の発生が少なく、防音吸音性に優れた床鳴り消音階段１を得ることが出来る。
【００１７】
請求項４に記載の発明が採った手段は、踏み板１１の裏面側１１１に装着される制振材は防音ゴム材、フェルト材、ジュウタンシート材、繊維マット、制振鋼材のいずれかであることを特徴とする床鳴り消音階段１を提供するものである。
これにより、前記防音材又は吸音材と同様に比較的入手が容易で安価な材料を用いて、階段の振動により生じた床鳴り音やキシミ音の振動を緩和して、特に制振鋼材のごとく材料の重量が大きい材料は、低周波の遮音性に優れる。
【００１８】
そして請求項５に記載の発明が採った手段は、寸法安定木材は木材繊維が多方向に配列された異方向性繊維の集成接合木材、挽材を含むランバー合板、木ルマール化木材のいずれかであることを特徴とする床鳴り消音階段１を提供するものである。
これにより、寸法変化が少なく、寸法安定性に優れ、かつ特に踏み板１１と蹴込み板１２と側板１３との凹凸嵌合接合部において、反りやねじれが少なく、高強度で耐久性に優れた床鳴り消音階段１を得ることが出来る。なお、反りは矢高を測定することにより判定する。
【００１９】
また、請求項６に記載の発明が採った手段は、集成接合木材又は挽材を含むランバー合板は、建築廃材から選別された広葉樹堅牢材を含むことを特徴とする床鳴り消音階段１を提供するものである。
これにより、現時点では余り積極的にリサイクル利用されていない木造建築物の廃材を有効利用して、資材の循環利用を図ることが出来る。なお、上記廃材は、特にブナ、ケヤキ、アピトンなどの広葉樹堅牢材であることが好ましい。それは、スギ、ヒノキ、マツなどの針葉樹木材よりも強度や高度に優れているからである。
【００２０】
そして、請求項７に記載の発明が採った手段は、凹凸嵌合接合は、凹凸サネ加工嵌合、蟻掛け凹凸嵌合、鎌掛け凹凸嵌合のいずれかであることを特徴とする床鳴り消音階段１を提供するものである。
これにより、踏み板１１と蹴込み板１２と側板１３との凹凸嵌合接合部が強固となり、しかも寸法安定性に優れるため、凹凸嵌合接合部において隙間、歪みや反りによる接合部不良を発生することなく、「残響室法吸音率（％）」の高い床鳴り消音階段１を得ることが出来る。
【００２１】
請求項８に記載の発明が採った手段は、蹴込み板１２は、裏面側１２１において、防音材、吸音材、制振材のいずれかを有することを特徴とする床鳴り消音階段１を提供するものである。
これにより、特に昇段時において、足先で蹴込み板１２に当接して「つまずく」ことがあっても、その発生音を蹴込み板１２の裏面側１２１において吸収することが出来る。
【００２２】
請求項９に記載の発明が採った手段は、蹴込み板１２の裏面側１２１に装着された防音材は、防音ゴム材、フェルト材、ジュウタンシート材、繊維マットのいずれかであることを特徴とする床鳴り消音階段１を提供するものである。
これにより、比較的入手が容易で安価な材料を用いて、特に昇段時において発生する蹴込み板１２の足先のつまずき音などの発生音を、蹴込み板１２の裏面側１２１において吸収することが出来る。
【００２３】
請求項１０に記載の発明が採った手段は、蹴込み板１２の裏面側１２１において装着される吸音材は、フェルト材、ジュウタンシート材、穴明き薄板のいずれかであることを特徴とする床鳴り消音階段１を提供することが出来る。
これにより、前記防音材と同様に、比較的入手が容易で安価な材料を用いて、特に昇段時において発生する蹴込み板１２の足先のつまずき音などの発生音を、蹴込み板１２の裏面側１２１において有利に吸収することが出来る。
【００２４】
請求項１１に記載の発明が採った手段は、蹴込み板１２の裏面側１２１において装着される制振材は、防音ゴム材、ジュウタンシート材、繊維マット、制振鋼材のいずれかであることを特徴とする床鳴り消音階段１を提供するものである。
これにより、前記防音材及び吸音材と同様に比較的入手が容易で安価な材料を用いて、特に昇段時において発生する蹴込み板１２の足先のつまずき音などの発生音を、蹴込み板１２の裏面側１２１において有利に吸収することが出来る。
【００２５】
請求項１２に記載の発明が採った手段は、踏み板１１の表面側にが滑り止めシート材が装着されていることを特徴とする床鳴り消音階段１を提供するものである。
これにより、比較的入手が容易で安価な材料を用いて、特に踏み板１１の表面側において発生した床鳴り音やキシミ音を有利に吸収することが出来る。
【００２６】
請求項１３に記載の発明が採った手段は、蹴込み板１２は、上端頭において滑り止め凹凸粗面を形成した段鼻部を有することを特徴とする床鳴り消音階段１を提供するものである。
これにより、蹴込み板１２を予め工場等で生産加工した、いわゆるプレハブ製品やプレカット製品を採用することにより、階段の施工現場における作業能率性を向上させた床鳴り消音階段１を得ることが出来る。
【００２７】
請求項１４に記載の発明が採った手段は、蹴込み板１２は下端踏み板近傍部において切り欠き凹部を有することを特徴とする床鳴り消音階段１を提供するものである。
これにより、踏み板１１の踏面（踏み込み面積）が拡大さることになり、安全に階段を昇降することが出来る。
【００２８】
請求項１５に記載の発明が採った手段は、踏み板１１と蹴込み板１２との前端部に形成された前方隅部において装飾遮音用入隅材１５を有することを特徴とする床鳴り消音階段１を提供するものである。
これにより、蹴込み板１２の外部より踏み板１１と蹴込み板１２と側板１３とにより形成される「箱状部分内」への音の進入を防止して、床鳴り音やキシミ音を有利に進入防止することが出来る。
【００２９】
請求項１６に記載の発明が採った手段は、装飾遮音用入隅材は、湾曲凹部、断面三角形上部材、断面略三角切り欠き部材のいずれかであることを特徴とする床鳴り消音階段１を提供するするものである。
これにより、比較的安価な方法で見栄えが良く、踏み板１１の踏面を効率よく拡大し、昇段時及び降段時の安全を向上させることが出来る。
【００３０】
請求項１６に記載の発明が採った手段は、装飾遮音用入隅材は、湾曲凹部、断面三角形状部材、断面略三角形切り欠き部材のいずれかであることを特徴とする床鳴り消音階段１を提供するものである。
これにより、比較的安価な方法で見栄えが良く、踏み板１１の踏面を効率良く拡大し、昇段時及び降段時の安全を向上させることが出来る。
【００３１】
【発明の実施の形態】
本発明の実施の形態を実施例における実施の態様に基づき、図面を参照して具体的に説明する。
本発明に係る床鳴り消音階段１は、踏み板１１とこれを略直交して取付けられる蹴込み板１２と、これら踏み板１１と蹴込み板１２とを取付ける側板１３と、これらの踏み板１１と蹴込み板１２と側板１３とを支承する力桁１４とから構成される（図１等参照）。
そのため、主として「側下駄裏面側」に応用され、この外にも踊り場や手摺及び手摺子（図示略）、更には受け板（こま）や底板、くさびなど当業者が適宜採用し得る構成部材を使用することが出来る。
【００３２】
また、前記踏み板１１は、裏面側１１１において、防音材、吸音材、制振材のいずれかを有している。
前記防音材としては、例えば防音ゴム材、フェルト材、ジュウタンシート材、繊維マットなどがある。
上記防音ゴム材としては、例えば天然ゴム、ブダジエンゴム、アクリロニトリルゴム、スチレンブタジエンゴム、クロロプレーンゴム、ブチルゴム、ウレタンゴムなどがある。この他にも発泡性ゴムシート状物を使用することが出来る。
防音ゴム材は、ゴム自体が有する「ばね」としての弾性を有し、３軸方向の防振効果を有する。そして、防音材は、内部摩擦が大きいので、高い周波数の振動を吸収するのに適している。
また、防音ゴム材は、多量生産に適しており、入手が比較的容易であって、安価でしかも軽量であるため、運搬や装着時に有利に使用することが出来る。
【００３３】
フェルト材としては、例えばカーペット、ルーフカーペット類などの柔軟性かつ弾力性に富んだ天然、合成樹脂、有機又は無機繊維シート、発泡合成樹脂シート、各種の布類などがある。
ここで注目すべきことは、前記フェルト材のうち、これとルーフカーペットを使用することにより、装着後において着脱が可能なフェルト材と装着することが出来る点である。
【００３４】
前記吸音材としては、例えばフェルト材、ジュウタンシート材、穴明き薄板、コルク薄板などがある。穴明き薄板としては、石こうボード、合板、特に挽材を含むランバー合板の穴明き板を有利に使用することが出来る。また、ファイバーボードやインシュレーションボードの穴明き板に非貫孔の穴をあけて、高周波の吸音特性に優れた特性を発揮するものを使用することが出来る。
【００３５】
制振材としては、例えば防音ゴム材、フェルト材、ジュウタンシート材、繊維マットの他に制振鋼材を使用することが出来る。この制振鋼材の薄板中にエチレングリコールなどの液体を含むものを、特に有利に使用することが出来る。この制振鋼材は、特に重量衝撃音としての、子供などが階段をかけ上る際に生じる「ドタバタ音、騒音を吸収できることが「残響室法吸音率（％）」などの測定により判明した。
一方、前記繊維マットやジュウタンシート材の柔軟性を有する防音材、吸音材は、軽量床衝撃物としての「物の落下音」や「椅子などの移動音、こすり音などの遮音等級が支承支承４０〜５０を有利に吸収することが出来る。
【００３６】
また、本発明においては、木材繊維が多方向に配列された異方向性繊維の集成接合木材、挽材を含むランバー合板、木ルマール化木材のいずれかを、踏み板１１、蹴込み板１２、側板１３に使用することが好ましい。これらの凹凸嵌合接合部において、寸法変化が小さく寸法安定性に優れるため、隙間や歪みを生じることがなく、いわゆる不良接合部を生じることを有利に防止することが出来る。
そして、上記凹凸嵌合接合は、凹凸サネ加工嵌合、蟻掛け凹凸嵌合、鎌掛け凹凸嵌合のいずれかであることが好ましい。凹凸嵌合接合を強固に構成して、隙間や歪みによる不良接合部を発生させることがないためである。不良接合部による階段昇降時に発生する各種の音を通過させたり、反射させることを減少させることが出来る。
【００３７】
その結果、本発明によれば、床鳴りやキシミ音の発生が少なくのため、階段の昇降時に発生する音の吸収が良く、反射が少なく、振動和音の発生を防止することが出来る。
したがって、本発明によれば、従来の階段９よりも比較して「残響室法吸音率（％）」が高く（図１６参照）、床鳴りやキシミ音の発生が少なく、防音吸音性及び遮音性及び寸法安定性に優れた床鳴り消音階段１を提供することが出来る。
また、踏み板１１の表面側において、滑り止めシート材としての凹凸粗面材、繊維マット、凹凸マットなどを装着する場合にあっては、踏み板１１の表面側において発生する足と踏み板１１との摩擦音や「こすり音」を有利に吸収して、床鳴りやキシミ音の発生が少なく、防音吸音性、遮音性及び寸法安定性に優れた床鳴り消音階段１を得ることが出来る。
そして、前述のごとく、遮音等級支承支承４０〜５０の軽量衝音や支承支承５０〜６０以上の重量衝音を吸収し又は反射させて、床鳴りやキシミ音の発生が少なく、防音吸音性、遮音性及び寸法安定性に優れた床鳴り消音階段１を得ることが出来る。
【００３８】
以下に、本発明の好ましい実施例について証明する。
（実施例１）
本例の床鳴り消音階段１は、図１〜図６に示すごとく、踏み板１１とこれと略直交して取付けられる蹴込み板１２と、これら踏み板１１と蹴込み板１２とを取付ける側板１３と、これら踏み板１１と蹴込み板１２と側板１３とを支承する力桁１４とにより構成される。
前記踏み板１１１は図１及び図２に示すごとく、裏面側１１１において、防音材としてのフェルト材１１２を有する。このフェルト材１１２は、合成樹脂発泡シート状物よりなり、多数の独立気泡を有する。そのため、遮音性及び吸音性に優れると共に、断熱性にも優れている。
【００３９】
図１に示すごとく、床鳴り消音階段１は、表面側において滑り止めシート材としての凹凸マット１１３を有すると共に、踏み板１１と蹴込み板１２との前方凹凸嵌合接合において装飾遮音用入隅材１５を有する。これにより、踏み板１１上で発生した「足すべり音」としての騒音を凹凸マット１１３により吸収すると共に、踏み板１１と蹴込み板１２との前方側において発生した「ガタガタ騒音」などが踏み板１１と蹴込み板１２と側板１３とよりによって囲まれる「箱状部分内」１０に侵入することを防止することが出来る。
【００４０】
そして、図２に示すごとく、踏み板１１は湿潤膨張性の嵌合用くさび１６は空気中の水分（湿分）を長期間に亘たり吸湿して、その体積が膨張する。このため、側板１３の凹凸嵌合接合部において、踏み板１１と側板１３とは強固な嵌合力によって踏み板１１と側板１３との凹凸嵌合接合が行われる。
【００４１】
また、踏み板１１は、裏面側１１１において、蹴込み板１２との凹凸嵌合接合用凹部１１７を有する。これにより、踏み板１１と蹴込み板１２とは強固な凹凸嵌合接合部が形成される。
そして、踏み板１１は前端表面側において、滑り止め凹部１１５を有する。
【００４２】
図３に示すごとく、踏み板１１の表面側に装着された滑り止めシート材としての凹凸マット１１３は、予め工場等の生産加工時において、接着剤により貼着してある。
そのため、プレハブ製品又はプレカット製品としての踏み板１１は、階段の施工現場において取付け装着が容易となり、作業迅速性に優れ、省力化を図ることが出来る。そして、踏み板１１は、階段の昇降時において、足が踏み板１１上を滑って転倒することを防止することが出来ると共に、足を踏み板１１より踏み外すことがない。そのため、階段の昇降の安全を十分に確保することが出来る。
【００４３】
次に、本例に係る床鳴り消音階段１の組み付け順序について説明する。
まず、図４に示すごとく、踏み板１１の裏面側１１１において刻設してある滑り止めシート材としての「蟻掛け凹部」１１７を力桁１４の上方部に形成した受け台としての「こま」１６凹凸嵌合接合させる。そして、長い釘３を踏み板１１の斜め後方より打ち込んで凹凸嵌合接合部を強固なものとする。これにより、踏み板１１は力桁１４上で強固に取付けることが出来る。そのため、階段の昇降時において発生する床鳴りやキシミ音の発生が少なくなる。
【００４４】
そして、最後に、図２に示すごとく、前記踏み板１１の裏面側１１１において形成してある凹凸嵌合接合部としての「蟻掛け凹部」１１７内に、横方向より蹴込み板１２をスライドさせるごとく、挿入嵌合させる。これにより、踏み板１１と蹴込み板１２とは強固に凹凸嵌合接合される。そのため、踏み板１１と蹴込み板１２との凹凸嵌合接合部において隙間を生じることはない。なお、踏み板１１と蹴込み板１２と側板１３とは、木材繊維が多方向に配列された寸法変化の少ない集成接合木材又は挽材を含むランバー合板を使用する。これにより、特に踏み板１１と蹴込み板１２と側板１３との凹凸嵌合接合部において、隙間や歪みとしての接合不良部を生じることはない。そのめ、本例に係る床鳴り消音階段１は、床鳴りやキシミ音の発生が少なく、防音吸音性、遮音性及び寸法安定性に優れる。
【００４５】
このようにして構成された床鳴り消音階段１は、図５に示すごとく、その上端部において、蟻掛け凹部１１８と蟻掛け凸部１１９を有する。そのため、これらを凹凸嵌合接合することにより、床鳴り消音階段１を支柱や二階床（図示略）に迅速容易に取付けることが出来る。
【００４６】
したがって、本例によれば、図６に示すごとく、踏み板１１の表面側において、滑り止めシート材としての凹凸マット１１３を有する床鳴り消音階段１を得ることが出来る。また、床鳴り消音階段１は、図６に示すごとく、踏み板１１と蹴込み板１２との上方前端部において、装飾遮音用入隅材１５を有する。そのため、階段の昇降時に発生した騒音としての床鳴りやキシミ音の発生が少なく、防音吸音性、遮音性及び寸法安定性に優れた床鳴り消音階段１を得ることが出来る。なお、図１６に示すごとく、本例の床鳴り消音階段１は、従来例１及び２としての階段９よりも各周波数（横軸）ごとの「残響室法吸音率（％）」が高く、従来例１及び２よりも防音吸音性及び遮音性及び寸法安定性が優れていることが判る。
（実施例２）
本例の床鳴り消音階段１は、図７〜図９に示すごとく、蹴込み板１２の下方部において、切り欠き凹部１１０を有する。
そして、踏み板１１の表面側において、図８に示すごとく、滑り止めシート材としてのテクスチャ仕上げ粗面１１４を有する。また床鳴り消音階段１の上端部において、図９に示すごとく、柱４及び二階床５に取付ける上記切り欠き凹部１１０は、踏み板１１の踏面（足で踏む面積）を拡大させることが出来る。そのため、床鳴り消音階段１の昇降時において、踏み板１１を踏み外すことはない。なお、その他は、実施例１と同様に構成した。
【００４７】
また、図９に示すごとく、側板１３は、柱４と床柱５に蟻掛け凹凸嵌合（図示略）により接合する。
一方、踏み板１１は、表面側において、テクスチャ仕上げ粗面１１４を有する。これにより、特に床鳴り消音階段１の降段時において、スリップ事故を生じたり、踏み板１１より足を踏み外して転倒することはない。
したがって、本例によれば、実施例１と同様に床鳴りやキシミ音の発生が少なく、防音吸音性、遮音性及び寸法安定性に優れた床鳴り消音階段１を得ることが出来る。また、図１６に示すごとく、本例の床鳴り消音階段１は、従来例１及び２よりも「残響室法吸音率（％）」が高く、特に防音吸音性に優れた床鳴り消音階段１を得ることが出来る。
（実施例３）
本例の床鳴り消音階段１は、図１３に示すごとく、踏み板１１と蹴込み板１２と側板１３（図示略）とによって囲まれて形成された「箱状部分内」１０において、繊維マットとしてのロックウールが充填してある。そして、踏み板１１は、表面側において、合成樹脂発泡塗装粗面としての凹凸粗面材１１５を有する。そのため、踏み板１１は、階段の昇降時において、踏み板１１を踏み外すことがなく、安全性を十分に確保することが出来る。
【００４８】
前記「箱状部分内」１０には、図１３に示すごとく、繊維マット又は線状のロックウールが充填されている。これにより、床鳴りやキシミ音の発生が少なく、防音吸音性、遮音性及び寸法安定性に優れた床鳴り消音階段１を得ることが出来る。
また、図１６に示すごとく、実施例のうちでは最も「残響室法吸音率（％）」が高く、遮音性及び断熱性が向上する。そのため、本例によれば、実施例１及び２よりも遮音性及び断熱性に優れた床鳴り消音階段１を得ることが出来る。
なお、図１６に示すごとく、本例に係る床鳴り消音階段１は、実施例５と同様に、他の実施例よりも「残響室法吸音率（％）」が高く、特に遮音性及び寸法安定性の優れた床鳴り消音階段１を得ることが出来る。
なお、本例の床鳴り消音階段１のごとく、「箱状部分内」１０において、ロックウールが充填されているため、低周波の騒音を遮断し吸収することが出来る。
その他は、実施例１と同様に構成した。
（実施例４）
本例は、図１４に示すごとく、実施例１の踏み板１１の裏面側１１１において、フェルト材１１２代えて、防音ゴム材１１９が装着してある。
また、踏み板１１の表面側において、フェルト材１１２に代えて、防音ゴム材１２４が装着してある。これにより、図１６に示すごとく、実施例１よりも「残響室法吸音率（％）」が高い、防音吸音性及び遮音性及び寸法安定性に優れた床鳴り消音階段１を得ることが出来る。
そして、その他の構成は、実施例１と同様にしてあるため、床鳴りやキシミ音の発生が少なく、防音吸音性、遮音性及び寸法安定性に優れた床鳴り消音階段１を得ることが出来る。
なお、本例に係る床鳴り消音階段１は、踏み板１１と蹴込み板１２と側板１３とが全て、木材繊維が多方向に配列された集成接合木材を使用してあるため、「残響室法吸音率（％）」が実施例１よりも高くなったものと考えられる。
（実施例５）
本例の床鳴り消音階段１は、図１５に示すごとく、特に蹴込み板１２が全て、木材繊維を多方向に配列された集成接合木材により構成され、かつ蹴込み板１２の上方頭部において段鼻部１１９を有する。この段鼻部１１９は工場等において、蹴込み板１２の本体と一体化して形成されたプレハブ製品又はプレカット製品である。そのため、本例に係る床鳴り消音階段１は、階段の施工現場における作業性に優れている。
【００４９】
また、蹴込み板１２は、図１５に示すごとく、他の実施例１〜４よりも、板厚が大きい。
そのため、図１６に示すごとく、実施例３と同様に、他の実施例１、２よりも「残響室法吸音率（％）」が高く、特に高周波の騒音などの遮音性に優れる。
その他の構成は、実施例１及び２と同様に、支柱４及び二階床５に取付けである。
したがって、本例によれば、特に実施例３と同様に、他の実施例１、２よりも遮音性及び寸法安定性に優れた床鳴り消音階段１ジュウタンシート材吸音材得ることが出来る。
【００５０】
【発明の効果】
本発明は、請求項１〜１６に記載された技術的特徴事項により構成されている。そのため、次に示すような諸々の優れた効果を有する。
まず、請求項１に記載の発明によれば、これにより、床鳴りやキシミ音の発生が少なく、防音吸音性、遮音性及び寸法安定性に優れた床鳴り消音階段１を得ることが出来る。
そして、従来例１及び２よりも「残響室法吸音率（％）」が高く、特に遮音性及び吸音性を向上させることが出来る。
【００５１】
そして、請求項２〜請求項４に記載の発明によれば、比較的入手が容易で安価な材料を有する床鳴り消音階段１を得ることが出来る。そして、低周波や高周波の騒音をも吸収することが出来る床鳴り消音階段１を得ることが出来る。
【００５２】
また、請求項５に記載の発明によれば、寸法変化が少なく、寸法安定性に優れ、かつ特に踏み板１１と蹴込み板１２と側板１３との凹凸嵌合接合部において、反りやねじれ（歪み）を生じることが少なく、高強度で耐久性に優れた床鳴り消音階段１を得ることが出来る。なお、反りは矢高を測定することにより判定する。
【００５３】
請求項６に記載の発明によれば、現時点では余り積極的に利用されていない木造建築物の廃材を有効利用して、資源の循環利用を図ることが出来る。なお、上記廃材は、特にブナ、ケヤキ、アピトンなどの広葉樹堅牢材であることが、マツ、スギ、ヒノキなどの針葉樹木材よりも強度や硬度が優れることになる。
【００５４】
請求項７に記載の発明によれば、踏み板１１と蹴込み板１２と側板１３の凹凸嵌合接合部が強固となり、しかも寸法安定性に優れるため、凹凸嵌合接合部において隙間、歪みや反りによる接合部不良を発生することがなく、「残響室法吸音率（％）」の高い床鳴り消音階段１を得ることが出来る。
そして、請求項８に記載の発明によれば、特に昇段時において、足先で蹴込み板１２に当接して「つまづく」ことがあっても、その発生音を蹴込み板１２の裏面側１２１において効率良く吸収することが出来る。
【００５５】
請求項９〜請求項１１に記載の発明によれば、比較的入手が容易で安価な材料を用いて、特に請求項１１は足先などのつまづき音などの発生を、蹴込み板１２の裏面側１２１において有利に吸収することが出来る。
また、請求項１２に記載の発明によれば、前記請求項９〜請求項１１と同様に、比較的入手が容易で安価な材料を用いて、特に踏み板１１の表面側において発生した床鳴りやキシミ音を有利に吸収することが出来る。
【００５６】
そして、請求項１３に記載の発明によれば、蹴込み板１２を予め工場などで生産加工した、いわゆるプレハブ製品やプレカット製品を採用することにより、階段の施工現場における作業能率性を向上させた床鳴り消音階段１を得ることが出来る。
また、請求項１４に記載の発明によれば、踏み板１１の踏面が拡大され、昇段時及び降段時において、踏み板１１を踏み外すことがなく、安全に階段を昇降することが出来る。
【００５７】
請求項１５に記載の発明によれば、蹴込み板１２の外部より踏み板１１と蹴込み板１２と側板１３とにより形成される「箱状部分内」１０への音の侵入を防止して、床鳴りやキシミ音を有利に侵入防止することが出来る。
また、請求項１６に記載の発明によれば、蹴込み板１２の下方部において、踏み板１１の踏面を有利に拡大することが出来る。
以上のように、本発明によれば、「残響室法吸音率（％）」が高く、床鳴りやキシミ音の発生が少なく、防音吸音性、遮音性及び寸法安定性優れた床鳴り消音階段１を有利に得ることが出来る。
【図面の簡単な説明】
【図１】実施例１に係る床鳴り消音階段の中央部における一部断面図である。
【図２】実施例１における踏み板の裏面側より見た一部斜視図である。
【図３】実施例１における踏み板の表面側に装着した滑り止めシート材の斜視図である。
【図４】実施例１における踏み板の取付け状態を示す斜視図である。
【図５】実施例１における階段の上端部の取付け状態を示す一部斜視図である。
【図６】実施例１における床鳴り消音階段の表面側より見た状態の一部斜視図である。
【図７】実施例２における床鳴り消音階段の中央部における一部断面図である。
【図８】実施例２における踏み板の表面側に装着した粗面の斜視図である。
【図９】実施例２に係る床鳴り消音階段を支柱や二階床に取付ける状態を示す斜視図である。
【図１０】実施例３に係る床鳴り消音階段の中央部分の一部断面図である。
【図１１】実施例３における踏み板を力桁上に取付ける状態を示す斜視図である。
【図１２】実施例３における踏み板の表面側より見た状態を示す斜視図である。
【図１３】実施例３に係る床鳴り消音階段の中央部における一部断面図である。
【図１４】実施例４に係る床鳴り消音階段の中央部における一部断面図である。
【図１５】実施例５に係る床鳴り消音階段の中央部における一部断面図である。
【図１６】実施例１〜５に係る床鳴り消音階段の「残響室法吸音率（％）」を示す説明図である。
【図１７】従来の階段の中央部における一部断面図である。
【図１８】従来例１の階段の裏面側より見た状態を示す斜視図である。
【図１９】従来例２に係る階段の裏面側より見た状態を示す斜視図である。
【図２０】各周波数（横軸）ごとの「残響室法吸音率（％）」（縦軸）の測定装置の説明側面図である。
【符号の説明】
１  床鳴り消音階段
１１  踏み板
１１１  踏み板の裏面側
１１２  フェルト材
１１３  凹凸マット
１１４  テクスチャ仕上げ粗面
１１５  凹凸粗面材
１１９  防音ゴム材
１２  蹴込み板
１３  側板
１４  力桁
【図１】
2004244988.tif 000003
【図２】
2004244988.tif 000004
【図３】
2004244988.tif 000005
【図４】
2004244988.tif 000006
【図５】
2004244988.tif 000007
【図６】
2004244988.tif 000008
【図７】
2004244988.tif 000009
【図８】
2004244988.tif 000010
【図９】
2004244988.tif 000011
【図１０】
2004244988.tif 000012
【図１１】
2004244988.tif 000013
【図１２】
2004244988.tif 000014
【図１３】
2004244988.tif 000015
【図１４】
2004244988.tif 000016
【図１５】
2004244988.tif 000017
【図１６】
2004244988.tif 000018
【図１７】
2004244988.tif 000019
【図１８】
2004244988.tif 000020
【図１９】
2004244988.tif 000021
【図２０】
2004244988.tif 000022